(57)【要約】【課題】高温下でも、規定値以上の音圧レベルを維持しつつ、通報音を継続して出力できるようにする。【解決手段】ＡＭＰ１２の温度が第１の基準温度Ｔ１よりも低い第２の基準温度Ｔ２まで上昇した場合、スピーカ２０より出力される通報音全体の音圧レベルを規定値以上に維持し、かつ、ＡＭＰ１２の消費電力が低下するように、スピーカ２０の低効率周波数帯域に属する合成音信号の周波数成分の電圧レベルを低下させ、スピーカ２０の高効率周波数帯域に含まれる合成音信号の周波数成分の電圧レベルを上昇させる（Ｓ１１２）。【選択図】図３
2014108727.tif 000002
【特許請求の範囲】
【請求項１】
複数の周波数成分で構成される合成音信号を生成する合成音信号生成部（１１）と、前記合成音信号を増幅して出力する増幅器（１２）と、を備え、前記増幅器（１２）より出力される信号に応じた通報音をスピーカ（２０）から出力させることにより、車両が接近していることを周囲に通報する車両接近通報装置であって、
前記増幅器（１２）の温度が第１の基準温度以上になると前記増幅器の作動を停止させる加熱保護回路（１２ａ）と、
前記増幅器（１２）の温度を検出するための温度検出手段（１３）と、を備え、
前記合成音信号生成部（１１）は、前記温度検出手段（１３）により検出された前記増幅器（１２）の温度が前記第１の基準温度（Ｔ１）よりも低い第２の基準温度（Ｔ２）まで上昇した場合、前記スピーカ（２０）より出力される前記通報音全体の音圧レベルを規定値以上に維持し、かつ、前記増幅器（１２）の消費電力が低下するように、前記合成音信号に含まれる前記複数の周波数成分の電圧レベルおよび周波数の少なくとも一方を変更することを特徴とする車両接近通報装置。
【請求項２】
前記合成音信号生成部（１１）は、前記温度検出手段（１３）により検出された前記増幅器（１２）の温度が前記第２の基準温度まで上昇した場合、前記スピーカ（２０）より出力される前記通報音全体の音圧レベルを規定値以上に維持し、かつ、前記増幅器（１２）の消費電力が低下するように、前記スピーカ（２０）の効率の低い低効率周波数帯域に属する前記合成音信号の周波数成分の電圧レベルを低下させるとともに、前記低効率周波数帯域よりも前記スピーカ（２０）の効率の高い高効率周波数帯域に含まれる前記合成音信号の周波数成分の電圧レベルを上昇させることを特徴とする請求項１に記載の車両接近通報装置。
【請求項３】
前記合成音信号生成部（１１）は、更に、温度検出手段（１３）により検出された前記増幅器（１２）の温度の上昇に伴って、前記スピーカ（２０）より出力される通報音全体の音圧レベルを規定値以上に維持し、かつ、前記増幅器（１２）の消費電力が低下するように、前記スピーカ（２０）の効率の低い低効率周波数帯域に属する前記合成音信号の周波数成分の電圧レベルを徐々に低下させるとともに、前記低効率周波数帯域よりも前記スピーカ（２０）の効率の高い高効率周波数帯域に含まれる前記合成音信号の周波数成分の電圧レベルを徐々に上昇させることを特徴とする請求項２に記載の車両接近通報装置。
【請求項４】
前記合成音信号生成部（１１）は、温度検出手段（１３）により検出された前記増幅器（１２）の温度が前記第２の基準温度まで上昇した場合、前記合成音信号全体の電圧レベルを低下させつつ、前記スピーカ（２０）の効率の低い低効率周波数帯域に属する周波数成分を、前記スピーカ（２０）の効率の高い高効率周波数帯域にシフトさせることを特徴とする請求項１に記載の車両接近通報装置。
【請求項５】
前記合成音信号生成部（１１）は、更に、温度検出手段（１３）により検出された前記増幅器（１２）の温度の上昇に伴って、前記スピーカ（２０）の効率の低い低効率周波数帯域に属する前記合成音信号の周波数成分の電圧レベルを徐々に低下させつつ、前記スピーカ（２０）の効率の低い低効率周波数帯域に属する周波数成分を徐々に前記スピーカ（２０）の効率の高い高効率周波数帯域にシフトさせることを特徴とする請求項４に記載の車両接近通報装置。
【発明の詳細な説明】
【技術分野】
【０００１】
本発明は、通報音をスピーカから出力させることにより、車両が接近していることを周囲に通報する車両接近通報装置に関するものである。
【背景技術】
【０００２】
走行用駆動源として電動機のみを備える電気自動車は、低速走行時の走行音が極めて静かである。また、走行用駆動源として電動機と内燃機関とを備えるハイブリッド車は、低速走行時に電動機の駆動力のみで走行する場合、走行音が極めて静かである。このため、歩行者等が当該車両の接近に気づかないことがある。
【０００３】
そこで、そのような低騒音車両において、通報音信号を生成し、生成した通報音信号に基づく通報音を車外に向けて発生させて、車両の存在を車両周囲の歩行者等に知らせるようにした車両接近通報装置が提案されている（例えば、特許文献１参照）。
【先行技術文献】
【特許文献】
【０００４】
【特許文献１】特開２０１２−１７０７１号公報
【発明の概要】
【発明が解決しようとする課題】
【０００５】
このような車両接近通報装置は、通報音信号を生成するＣＰＵや通報音信号を増幅するパワーアンプ等の回路を搭載したＥＣＵと、通報音信号に応じた通報音を出力するスピーカを備え、規定値以上の音圧レベルの通報音を出力するようになっている。
【０００６】
また、このような車両接近通報装置には、増幅器の温度が基準温度以上になると増幅器の作動を停止させて増幅器を保護する加熱保護回路を備えたものがある。特に、ＥＣＵとスピーカを一体化して構成されているものは、車両のエンジンルーム内に増幅器が配置されるため増幅器の周囲温度が高温になりやすく、加熱保護回路を備えた構成とする必要がある。
【０００７】
しかし、このような加熱保護回路を備えた車両接近通報装置は、周囲の温度上昇やＥＣＵに搭載されたパワーアンプ等の回路の発熱等により増幅器が基準温度以上となり、加熱保護回路が作動して増幅器の作動が停止してしまうと、スピーカから通報音が出力されなくなってしまい、車両の存在を車両周囲の歩行者等に知らせることができなくなってしまうといった問題がある。
【０００８】
本発明は上記問題に鑑みたもので、高温下でも、規定値以上の音圧レベルを維持しつつ、通報音を継続して出力できるようにすることを目的とする。
【課題を解決するための手段】
【０００９】
上記目的を達成するため、請求項１に記載の発明は、複数の周波数成分で構成される合成音信号を生成する合成音信号生成部（１１）と、合成音信号を増幅して出力する増幅器（１２）と、を備え、増幅器（１２）より出力される信号に応じた通報音をスピーカ（２０）から出力させることにより、車両が接近していることを周囲に通報する車両接近通報装置であって、増幅器（１２）の温度が第１の基準温度以上になると増幅器の作動を停止させる加熱保護回路（１２ａ）と、増幅器（１２）の温度を検出するための温度検出手段（１３）と、を備え、合成音信号生成部（１１）は、温度検出手段（１３）により検出された増幅器（１２）の温度が第１の基準温度（Ｔ１）よりも低い第２の基準温度（Ｔ２）まで上昇した場合、スピーカ（２０）より出力される通報音全体の音圧レベルを規定値以上に維持し、かつ、増幅器（１２）の消費電力が低下するように、合成音信号に含まれる複数の周波数成分の電圧レベルおよび周波数の少なくとも一方を変更することを特徴としている。
【００１０】
このような構成によれば、増幅器（１２）の温度が第１の基準温度（Ｔ１）よりも低い第２の基準温度（Ｔ２）まで上昇した場合、スピーカ（２０）より出力される通報音全体の音圧レベルを規定値以上に維持し、かつ、増幅器（１２）の消費電力が低下するように、合成音信号に含まれる複数の周波数成分の電圧レベルおよび周波数の少なくとも一方を変更するので、高温下でも、規定値以上の音圧レベルを維持しつつ、通報音を継続して出力できるようにすることができる。
【００１１】
また、請求項２に記載の発明は、合成音信号生成部（１１）は、スピーカ（２０）より出力される通報音全体の音圧レベルを規定値以上に維持し、かつ、増幅器（１２）の消費電力が低下するように、スピーカ（２０）の効率の低い低効率周波数帯域に属する合成音信号の周波数成分の電圧レベルを低下させるとともに、スピーカ（２０）の効率の高い高効率周波数帯域に含まれる合成音信号の周波数成分の電圧レベルを上昇させることを特徴としている。
【００１２】
このように、スピーカ（２０）より出力される通報音全体の音圧レベルを規定値以上に維持し、かつ、増幅器（１２）の消費電力が低下するように、スピーカ（２０）の効率の低い低効率周波数帯域に属する合成音信号の周波数成分の電圧レベルを低下させるとともに、スピーカ（２０）の効率の高い高効率周波数帯域に含まれる合成音信号の周波数成分の電圧レベルを上昇させて、スピーカ（２０）より出力される通報音全体の音圧レベルを規定値以上に維持し、かつ、増幅器（１２）の消費電力を低下させることができる。
【００１３】
また、請求項４に記載の発明は、合成音信号生成部（１１）は、スピーカ（２０）より出力される通報音全体の音圧レベルを規定値以上に維持し、かつ、増幅器（１２）の消費電力が低下するように、合成音信号全体の電圧レベルを低下させつつ、スピーカ（２０）の効率の低い低効率周波数帯域に属する周波数成分を、スピーカ（２０）の効率の高い高効率周波数帯域にシフトさせることを特徴としている。
【００１４】
このように、合成音信号全体の電圧レベルを低下させつつ、スピーカ（２０）の効率の低い低効率周波数帯域に属する周波数成分を、スピーカ（２０）の効率の高い高効率周波数帯域にシフトさせることで、スピーカ（２０）より出力される通報音全体の音圧レベルを規定値以上に維持し、かつ、増幅器（１２）の消費電力を低下させることもできる。
【００１５】
また、請求項３に記載の発明のように、合成音信号生成部（１１）は、更に、温度検出手段（１３）により検出された増幅器（１２）の温度の上昇に伴って、スピーカ（２０）の効率の低い低効率周波数帯域に属する合成音信号の周波数成分の電圧レベルを徐々に低下させるとともに、スピーカ（２０）の効率の高い高効率周波数帯域に含まれる合成音信号の周波数成分の電圧レベルを徐々に上昇させることができる。
【００１６】
また、請求項５に記載の発明のように、合成音信号生成部（１１）は、更に、温度検出手段（１３）により検出された増幅器（１２）の温度の上昇に伴って、合成音信号全体の電圧レベルを徐々に低下させつつ、スピーカ（２０）の効率の低い低効率周波数帯域に属する周波数成分を徐々にスピーカ（２０）の効率の高い高効率周波数帯域にシフトさせることができる。
【００１７】
なお、この欄および特許請求の範囲で記載した各手段の括弧内の符号は、後述する実施形態に記載の具体的手段との対応関係を示すものである。
【図面の簡単な説明】
【００１８】
【図１】本発明の第１実施形態に係る車両接近通報装置の構成を示す図である。
【図２】スピーカ出力音圧レベル対周波数特性を示す図である。
【図３】本発明の第１実施形態に係る車両接近通報装置の制御部のフローチャートである。
【図４】合成音信号を構成する周波数成分の電圧レベルの変更について説明するための図である。
【図５】本発明の第２実施形態に係る車両接近通報装置の制御部のフローチャートである。
【発明を実施するための形態】
【００１９】
（第１実施形態）
本発明の第１実施形態に係る車両接近通報装置の構成を図１に示す。本車両接近通報システムは、エンジンとモータを走行用の動力源として走行するハイブリッド車両に搭載され、スピーカから疑似エンジン音、疑似モータ音、疑似走行音等の通報音を発生させることにより、車両が接近していることを周囲に通報するものである。
【００２０】
本車両接近通報装置は、ＥＣＵ１０およびスピーカ２０を備えている。本車両接近通報装置は、ＥＣＵ１０およびスピーカ２０が一体化され、車両のエンジンルーム内に配置される。
【００２１】
ＥＣＵ１０は、制御部１１、パワーアンプ（以下、ＡＭＰという）１２および温度センサ１３を備えている。また、制御部１１には、車速に応じた車速信号を出力する車速センサ（図示せず）が接続されている。
【００２２】
制御部１１は、ＣＰＵ１１ａ、デジタルアナログ変換器（以下、ＤＡＣという）１１ｂおよびアナログデジタル変換器（以下、ＡＤＣという）１１ｃを備えている。また、制御部１１は、ＲＡＭ、ＲＯＭ、フラッシュメモリ、Ｉ／Ｏ（いずれも図示せず）等を備えている。制御部１１は、コンピュータとして構成されており、ＣＰＵ１１ａは、ＲＯＭに記憶されたプログラムに従って各種処理を実施する。
【００２３】
ＣＰＵ１１ａは、データ出力端子から複数ビットのデジタル信号を出力することが可能となっている。
【００２４】
ＤＡＣ１１ｂは、ＣＰＵ１１ａより入力される複数ビットのデジタル信号をアナログ信号に変換し、このアナログ信号を合成音信号として出力端子から出力する。具体的には、ＤＡＣ１１ｂは、複数の抵抗を梯子型に接続したＲ−２Ｒラダー抵抗群（図示せず）を有している。このＲ−２Ｒラダー抵抗群の合成抵抗は、ＣＰＵ１１ａより入力される複数ビットのデジタル信号に応じて段階的に変化するようになっている。ＤＡＣ１１ｂの出力端子から、Ｒ−２Ｒラダー抵抗群の合成抵抗値に応じた電圧が出力されるようになっている。
【００２５】
制御部１１は、ＣＰＵ１１ａより出力される複数ビットのデジタル信号により、合成音信号を構成する周波数成分および各周波数成分の電圧レベルを調整することが可能となっている。
【００２６】
ＡＤＣ１１ｃは、温度センサ１３より入力されるアナログ信号をサンプリングしてデジタル信号に変換し、このデジタル信号をＣＰＵ１１ａへ出力する。
【００２７】
ＡＭＰ１２は、制御部１１より入力される合成音信号を増幅し、この増幅した電圧を出力する。また、ＡＭＰ１２は、内蔵された半導体回路の温度が第１の基準温度Ｔ１（例えば、１５０℃）以上になるとＡＭＰ１２の増幅動作を停止させる加熱保護回路１２ａを有している。
【００２８】
温度センサ１３は、ＡＭＰ１２の温度を検出するためのものであり、サーミスタにより構成されている。本実施形態における温度センサ１３は、ＡＭＰ１２のパッケージの温度を検出し、検出した温度に応じた信号を制御部１１のＡＤＣ１１ｃへ出力する。
【００２９】
なお、本実施形態においては、加熱保護回路１２ａにおいてＡＭＰ１２に内蔵された半導体回路の温度を検出するセンサと、温度センサ１３は、別々に設けられている。
【００３０】
ＡＭＰ１２は、制御部１１より入力される合成音信号を増幅する。スピーカ２０より出力される通報音の音圧は、ＡＭＰ１２から供給される電流の大きさに応じて決まり、ＡＭＰ１２から供給される電流の大きさは、制御部１１より出力される合成音信号の出力波形によって決まる。スピーカ２０は、ＡＭＰ１２から供給される電流に応じた音圧の通報音を発生する。
【００３１】
図２に、スピーカ２０のスピーカ出力音圧レベル対周波数特性の例を示す。図に示されているように、７００Ｈｚ未満の周波数帯域では、周波数の上昇に伴ってスピーカ出力音圧レベルも上昇しており、また、スピーカ出力音圧レベルは比較的低くなっている。これに対し、７００Ｈｚ〜４０００Ｈｚの周波数帯域では、スピーカ出力音圧レベルの変動が少なく、また、スピーカ出力音圧レベルが全体的に高くなっている。
【００３２】
これは、７００Ｈｚ未満の周波数帯域では、スピーカ２０の効率が低く、出力音の音圧レベルが低くなるのに対し、７００Ｈｚ〜４０００Ｈｚの周波数帯域では、スピーカ２０の効率が高く、出力音の音圧レベルが高くなることを意味する。
【００３３】
このように、７００Ｈｚ未満の周波数帯域でスピーカ２０の効率が低く、７００Ｈｚ〜４０００Ｈｚの周波数帯域でスピーカ２０の効率が高くなっている場合、例えば、７００Ｈｚ未満の周波数帯域に属する合成音信号の周波数成分の電圧レベルを一定量低下させても、７００Ｈｚ〜４０００Ｈｚの周波数帯域に属する合成音信号の周波数成分の電圧レベルを同じ量だけ上昇させると、スピーカ２０より出力される通報音の音圧レベルは上昇する。したがって、基準値以上の音圧の通報音をスピーカ２０より出力させることができる。また、ＡＭＰ１２に入力する合成音信号の周波数成分の電圧レベルを変更することで、ＡＭＰ１２の消費電力を低減して発熱を抑制することも可能となる。
【００３４】
本実施形態における車両接近通報装置は、ＡＭＰ１２の温度が上昇し、ＡＭＰ１２の保護回路１２ａが機能してＡＭＰ１２の増幅動作を停止させる前に、ＡＭＰ１２入力する合成音信号に含まれる７００Ｈｚ未満の周波数帯域に属する周波数成分の電圧レベルを低下させるとともに、合成音信号に含まれる７００Ｈｚ〜４０００Ｈｚの周波数帯域に属する周波数成分の電圧レベルを上昇させる処理を実施する。
【００３５】
本車両接近通報装置は、車両走行時に常に車両接近通報音を発生させるのではなく、予め定められた発音条件が成立した場合に、車両接近通報音を発生させる。具体的には、車速が時速２０キロメートル（ｋｍ／ｈ）未満で、かつ、エンジンを停止してモータのみで走行している状態を発音条件とし、この発音条件が成立した場合に車両接近通報音を発生させる。つまり、車両が停車している場合や車速が時速２０キロメートル（ｋｍ／ｈ）以上の場合、あるいは車速が時速２０キロメートル（ｋｍ／ｈ）未満でもエンジン走行している場合には、車両接近通報音を発生させない。
【００３６】
図３に、車両接近通報装置の制御部１１のフローチャートを示す。車両のイグニッションスイッチがオン状態になると、車両接近通報装置は動作状態となり、制御部１１は図３に示す処理を周期的に実施する。
【００３７】
まず、上記した発音条件が成立したか否かを判定する（Ｓ１００）。ここで、例えば、車両が停車しており、発音条件が成立していない場合、Ｓ１００の判定はＮＯとなり、合成信号の出力を停止する（Ｓ１０２）。したがって、スピーカ２０から通報音は出力されない。
【００３８】
また、車両が走行を開始し、車速が時速２０キロメートル（ｋｍ／ｈ）未満で、かつ、エンジンを停止してモータのみで走行している状態になると、Ｓ１００の判定はＹＥＳとなり、次に、温度センサ１３により検出された温度が第１の基準温度Ｔ１（例えば、１５０℃）よりも低い第２の基準温度Ｔ２（１２０℃）よりも高いか否かを判定する（Ｓ１０４）。
【００３９】
ここで、温度センサ１３により検出された温度が第２の基準温度Ｔ２（１２０℃）以下となっている場合、合成音信号に含まれる周波数成分の電圧レベルを定常値に設定する（Ｓ１０５）。ただし、ここでは、合成音信号は出力しない。
【００４０】
次に、周波数可変制御実施フラグをリセットする（Ｓ１０６）。この周波数可変制御実施フラグは、後述する周波数可変制御を実施中であるか否かを示すフラグである。ここでは、周波数可変制御を実施していないため周波数可変制御実施フラグをリセットする。
【００４１】
次に、合成音信号を出力する（Ｓ１０８）。具体的には、スピーカ２０より出力される通報音全体の音圧レベルが規定値以上に維持されるように、予め定められた周波数成分により構成される合成音信号を生成する。なお、この合成音信号はＡＭＰ１２より増幅され、合成音信号に応じた通報音がスピーカ２０より出力される。
【００４２】
図４（ａ）に、通報音の周波数スペクトルを示す。本実施形態における通報音には６つの周波数成分が含まれる。具体的には、７００Ｈｚ未満の周波数帯域（低域）に属する３つの周波数成分と、７００Ｈｚ〜４０００Ｈｚの周波数帯域（高域）に属する３つの周波数成分が含まれる。図４（ａ）に示すように、周波数成分の音圧レベルを変更する前の通報音に含まれる６つの周波数成分は、和音のバランスが維持されるように、ほぼ同じ音圧レベルとなっている。このような周波数スペクトルの通報音がスピーカ２０から出力される。
【００４３】
また、エンジンルーム内の温度上昇やＡＭＰ１２ａの発熱等により、ＡＭＰ１２ａの温度が上昇し、温度センサ１３により検出された温度が第１の基準温度Ｔ１（例えば、１５０℃）よりも低い第２の基準温度Ｔ２（１２０℃）よりも高くなると、Ｓ１０４の判定はＹＥＳとなり、次に、周波数成分可変制御実施フラグがセットされているか否かに基づいて周波数成分可変制御を実施中であるか否かを判定する（Ｓ１１０）。
【００４４】
ここで、周波数成分可変制御実施フラグはリセットされているため、Ｓ１１０の判定はＮＯとなり、次に、スピーカ２０より出力される通報音全体の音圧レベルを規定値以上に維持しつつ、ＡＭＰ１２の消費電力が低下するように、合成音信号に含まれる複数の周波数成分の電圧レベルを変更する（Ｓ１１２）。具体的には、スピーカ２０より出力される通報音全体の音圧レベルを規定値以上に維持しつつ、ＡＭＰ１２の消費電力が低下するように、スピーカ２０の効率の低い７００Ｈｚ未満の低効率周波数帯域に属する合成音信号の周波数成分の電圧レベルを低下させるとともに、スピーカ２０の効率の高い７００〜４０００Ｈｚの高効率周波数帯域に含まれる合成音信号の周波数成分の電圧レベルを上昇させる。
【００４５】
次に、周波数可変制御実施フラグをセットし（Ｓ１１４）、Ｓ１０８へ進む。したがって、７００Ｈｚ〜４０００Ｈｚの周波数帯域に属する３つの周波数成分の音圧レベルが上昇し、７００Ｈｚ未満の周波数帯域に属する３つの周波数成分の音圧レベルが低下した通報音がスピーカ２０より出力される。
【００４６】
図４（ｂ）に、周波数成分の音圧レベルを変更した後の通報音の周波数スペクトルを示す。（ｂ）中の実線は、周波数成分の音圧レベルを変更した後の通報音の周波数スペクトルである。なお、（ｂ）中には、周波数成分の音圧レベルを変更する前の通報音の周波数スペクトルを点線で示してある。
【００４７】
Ｓ１１２にて、７００Ｈｚ〜４０００Ｈｚの周波数帯域（高域）に属する３つの周波数成分の電圧レベルを上昇させ、７００Ｈｚ未満の周波数帯域（低域）に属する３つの周波数成分の電圧レベルを低下させると、スピーカ２０より出力される通報音の音圧レベルは、図４（ｂ）に示すような周波数スペクトルとなる。
【００４８】
このように、スピーカ２０の効率の高い７００Ｈｚ〜４０００Ｈｚの周波数帯域に属する３つの周波数成分の電圧レベルを上昇させ、スピーカ２０の効率の低い７００Ｈｚ未満の周波数帯域に属する３つの周波数成分の電圧レベルを低下させることで、和音のバランスは崩れるものの、通報音全体の音圧レベルは規定値以上となる。また、更に、ＡＭＰ１２の消費電力を低下させることができる。
【００４９】
このように周波数可変制御実施フラグがセットされると、次回以降、Ｓ１１０の判定はＹＥＳとなるため、更に、７００Ｈｚ〜４０００Ｈｚの周波数帯域に属する３つの周波数成分の電圧レベルを上昇させてしまったり、更に、７００Ｈｚ未満の周波数帯域に属する３つの周波数成分の電圧レベルを低下させてしまうといったことはなく、図４（ｂ）に示したような、周波数スペクトルの通報音がスピーカ２０より出力される。
【００５０】
そして、ＡＭＰ１２ａの発熱が減少し、温度センサ１３により検出された温度が第２の基準温度Ｔ２（１２０℃）以下になると、Ｓ１０４の判定はＮＯとなり、合成音信号に含まれる周波数成分の電圧レベルを定常値に戻す（Ｓ１０５）。すなわち、合成音信号に含まれる７００Ｈｚ〜４０００Ｈｚの周波数帯域（高域）に属する３つの周波数成分の電圧レベルと、合成音信号に含まれる７００Ｈｚ未満の周波数帯域（低域）に属する３つの周波数成分の電圧レベルを、それぞれ元の電圧レベルに変更する。
【００５１】
次に、周波数可変制御実施フラグをリセットし（Ｓ１０６）、合成音信号を出力する（Ｓ１０８）。したがって、図４（ａ）に示したような、周波数スペクトルの通報音がスピーカ２０より出力される。
【００５２】
上記した構成によれば、ＡＭＰ１２の温度が第１の基準温度Ｔ１よりも低い第２の基準温度Ｔ２まで上昇した場合、スピーカ２０より出力される通報音全体の音圧レベルを規定値以上に維持し、かつ、ＡＭＰ１２の消費電力が低下するように、合成音信号に含まれる複数の周波数成分の電圧レベルを変更するので、高温下でも、規定値以上の音圧レベルを維持しつつ、通報音を継続して出力できるようにすることができる。
【００５３】
具体的には、スピーカ２０より出力される通報音全体の音圧レベルを規定値以上に維持し、かつ、ＡＭＰ１２の消費電力が低下するように、スピーカ２０の効率の低い低効率周波数帯域に属する合成音信号の周波数成分の電圧レベルを低下させるとともに、スピーカ２０の効率の高い高効率周波数帯域に含まれる合成音信号の周波数成分の電圧レベルを上昇させるようになっている。これにより、スピーカ２０より出力される通報音全体の音圧レベルを規定値以上に維持し、かつ、ＡＭＰ１２の消費電力を低下させることができる。
【００５４】
（第２実施形態）
図５に、本実施形態に係る車両接近通報装置の制御部１１のフローチャートを示す。なお、図３に示したフローチャートにおけるＳ１０５が図５に示すフローチャートではＳ２０５となっており、図３に示したフローチャートにおけるＳ１１２が図５に示すフローチャートではＳ２１２となっている点が異なる。以下、上記第１実施形態と同一部分については同一符号を付して説明を省略し、異なる部分を中心に説明する。
【００５５】
７００Ｈｚ未満の周波数帯域でスピーカ２０の効率が低く、７００Ｈｚ〜４０００Ｈｚの周波数帯域でスピーカ２０の効率が高くなっている場合、例えば、７００Ｈｚ未満の周波数帯域に属する周波数成分の周波数を７００Ｈｚ〜４０００Ｈｚの周波数帯域にシフトさせると、スピーカ２０より出力される通報音の音圧レベルは上昇する。したがって、ＡＭＰ１２に入力する合成音信号全体の電圧レベルを低下させても、基準値以上の音圧の通報音をスピーカ２０より出力させることができる。また、ＡＭＰ１２に入力する合成音信号全体の電圧レベルを低下させ、ＡＭＰ１２の出力レベルを低下させることができるため、ＡＭＰ１２の消費電力を低減して発熱を抑制することも可能となる。
【００５６】
上記第１実施形態では、合成音信号に含まれる７００Ｈｚ未満の周波数帯域に属する周波数成分の電圧レベルを低下させるとともに、合成音信号に含まれる７００Ｈｚ〜４０００Ｈｚの周波数帯域に属する周波数成分の電圧レベルを上昇させる処理を実施したが、本実施形態では、ＡＭＰ１２の効率の低い７００Ｈｚ未満の周波数帯域に属する周波数成分の周波数をＡＭＰ１２の効率の高い７００Ｈｚ〜４０００Ｈｚの周波数帯域にシフトさせる処理を実施する。
【００５７】
本実施形態では、温度センサ１３により検出された温度が第２の基準温度Ｔ２（１２０℃）以下となっている場合、合成音信号に含まれる周波数成分の周波数を定常値に設定する（Ｓ２０５）。ただし、ここでは、合成音信号は出力しない。
【００５８】
次に、周波数可変制御実施フラグをリセットし（Ｓ１０６）、合成音信号を出力する（Ｓ１０８）。具体的には、スピーカ２０より出力される通報音全体の音圧レベルが規定値以上に維持されるように、予め定められた周波数成分により構成される合成音信号を生成する。なお、この合成音信号はＡＭＰ１２より増幅され、図４（ａ）に示した周波数スペクトルの通報音がスピーカ２０より出力される。
【００５９】
また、エンジンルーム内の温度上昇やＡＭＰ１２ａの発熱等によりＡＭＰ１２ａの温度が上昇し、温度センサ１３により検出された温度が第２の基準温度Ｔ２（１２０℃）よりも高くなった場合、Ｓ１０４の判定はＹＥＳとなり、周波数成分可変制御実施フラグがセットされているか否かに基づいて周波数成分可変制御を実施中であるか否かを判定する（Ｓ１１０）。
【００６０】
ここで、周波数成分可変制御実施フラグがセットされていない場合、Ｓ１１０の判定はＮＯとなり、次に、合成音信号に含まれる７００Ｈｚ未満の周波数帯域（低域）に属する３つの周波数成分の周波数を、合成音信号に含まれる７００Ｈｚ〜４０００Ｈｚの周波数帯域（高域）にシフトさせる（Ｓ２１２）。このように、スピーカ２０の効率の低い周波数帯域（低域）に属する３つの周波数成分の周波数を、スピーカ２０の効率の高い周波数帯域（高域）にシフトさせる。
【００６１】
そして、周波数可変制御実施フラグをセットし（Ｓ１１４）、次に、合成音信号を出力する（Ｓ１０８）。この合成音信号はＡＭＰ１２より増幅され、合成音信号に応じた通報音がスピーカ２０より出力される。なお、合成音信号に含まれる全ての周波数成分がスピーカ２０の効率の高い周波数帯域（高域）に属することになるため、和音の音程が高音となるが、スピーカ２０より出力される通報音全体の音圧レベルは規定値以上に維持される。また、更に、ＡＭＰ１２の消費電力を低下させることができる。
【００６２】
また、ＡＭＰ１２ａの発熱が減少し、温度センサ１３により検出された温度が第２の基準温度Ｔ２（１２０℃）以下になると、Ｓ１０４の判定はＮＯとなり、合成音信号に含まれる周波数成分の周波数を定常値に戻す（Ｓ２０５）。すなわち、Ｓ２１２にて周波数をシフトさせた周波数成分の周波数を、それぞれ元の周波数に変更する。
【００６３】
次に、周波数可変制御実施フラグをリセットし（Ｓ１０６）、合成音信号を出力する（Ｓ１０８）。したがって、図４（ａ）に示したような、周波数スペクトルの通報音がスピーカ２０より出力される。
【００６４】
上記したように、ＡＭＰ１２の温度が第２の基準温度まで上昇した場合、合成音信号全体の電圧レベルを低下させつつ、スピーカ２０の効率の低い低効率周波数帯域に属する周波数成分を、スピーカ２０の効率の高い高効率周波数帯域にシフトさせることにより、スピーカ２０より出力される通報音全体の音圧レベルを規定値以上に維持し、かつ、ＡＭＰ１２の消費電力を低下させることもできる。
【００６５】
（その他の実施形態）
本発明は上記実施形態に限定されるものではなく、本発明の趣旨に基づいて種々なる形態で実施することができる。
【００６６】
例えば、増幅器（１２）の温度が前記第１の基準温度（Ｔ１）よりも低い第２の基準温度（Ｔ２）まで上昇した場合、上記第１実施形態では、前記スピーカ（２０）より出力される前記通報音全体の音圧レベルを規定値以上に維持し、かつ、前記増幅器（１２）の消費電力が低下するように、前記合成音信号に含まれる前記複数の周波数成分の電圧レベルを変更し、上記第２実施形態では、スピーカ（２０）より出力される前記通報音全体の音圧レベルを規定値以上に維持し、かつ、前記増幅器（１２）の消費電力が低下するように、前記合成音信号に含まれる前記複数の周波数成分の周波数を変更したが、スピーカ（２０）より出力される前記通報音全体の音圧レベルを規定値以上に維持し、かつ、前記増幅器（１２）の消費電力が低下するように、前記合成音信号に含まれる前記複数の周波数成分の電圧レベルと周波数の両方を変更するように構成してもよい。
【００６７】
また、上記第１実施形態では、ＡＭＰ１２の温度が第２の基準温度まで上昇した場合、スピーカ２０の効率の低い低効率周波数帯域に属する合成音信号の周波数成分の電圧レベルを低下させるとともに、低効率周波数帯域よりもスピーカ２０の効率の高い高効率周波数帯域に含まれる合成音信号の周波数成分の電圧レベルを上昇させるようにしたが、例えば、更に、ＡＭＰ１２の温度の上昇に伴って、スピーカ２０の効率の低い低効率周波数帯域に属する合成音信号の周波数成分の電圧レベルを徐々に低下させ、更に、スピーカ２０の効率の低い低効率周波数帯域に属する合成音信号の周波数成分の電圧レベルを徐々に低下させるとともに、低効率周波数帯域よりもスピーカ２０の効率の高い高効率周波数帯域に含まれる合成音信号の周波数成分の電圧レベルを徐々に上昇させるように構成してもよい。
【００６８】
また、上記第２実施形態では、ＡＭＰ１２の温度が第２の基準温度まで上昇した場合、スピーカ２０の効率の低い低効率周波数帯域に属する合成音信号の周波数成分の電圧レベルを低下させるとともに、低効率周波数帯域よりもスピーカ２０の効率の高い高効率周波数帯域に含まれる合成音信号の周波数成分の電圧レベルを上昇させるように構成したが、更に、ＡＭＰ１２の温度の上昇に伴って、スピーカ２０の効率の低い低効率周波数帯域に属する合成音信号の周波数成分の電圧レベルを徐々に低下させ、更に、スピーカ２０の効率の低い低効率周波数帯域に属する周波数成分を徐々にスピーカ２０の効率の高い高効率周波数帯域にシフトさせるように構成してもよい。
【００６９】
また、上記第１、第２実施形態では、ＥＣＵ１０とスピーカ２０を一体化して本車両接近通報装置を構成し、車両のエンジンルームに配置する例を示したが、ＥＣＵ１０とスピーカ２０を別体として構成することもでき、また、ＥＣＵ１０を車両のエンジンルーム以外の場所に配置する構成とすることもできる。
また、上記第１、第２実施形態では、ＡＭＰ１２の温度が第１の基準温度以上になるとＡＭＰ１２の作動を停止させる加熱保護回路１２ａをＡＭＰ１２に内蔵した構成を示したが、加熱保護回路１２ａをＡＭＰ１２の外部に設けるように構成してもよい。
【００７０】
また、上記第１、第２実施形態は、温度センサ１３によりＡＭＰ１２のパッケージの温度を検出するように構成したが、ＡＭＰ１２のパッケージの温度に限定されるものではなく、例えば、ＡＭＰ１２の近くの温度を検出するように構成してもよい。
【００７１】
なお、上記実施形態における構成と特許請求の範囲の構成との対応関係について説明すると、ＡＭＰ１２が増幅器に相当し、制御部１１が合成音信号生成部に相当し、温度センサ１３が温度検出手段に相当する。
【符号の説明】
【００７２】
１０    ＥＣＵ
１１    制御部
１２    ＡＭＰ
１２ａ  保護回路
１３    温度センサ
２０    スピーカ
【図１】
2014108727.tif 000003
【図２】
2014108727.tif 000004
【図３】
2014108727.tif 000005
【図４】
2014108727.tif 000006
【図５】
2014108727.tif 000007